(57)【要約】【課題】長手方向に沿った側部にて、隆起している複数個の両側側面によって切削刃を形成している切削工具において、回転方向側において広範な領域の側面にクーラントを供給することによって、効率的な切削刃の冷却及び切削刃からの切削粉の排除を実現し得る構成を提供すること。【解決手段】長手方向に沿った側部にて、隆起している複数個の両側側面２１、２２によって切削刃２を形成している切削工具１であって、回転中心軸５の周囲にクーラント通過用パイプ３０を延設したうえで、当該延設に係るクーラント通過用パイプ３０から分岐した各クーラント通過用パイプ３１を、前記隆起している両側側面２１、２２のうち、回転方向側の隆起側面２１の方向に沿って突設することによって前記課題を達成することができる切削工具１。【選択図】図３
2019126865.tif 000002
【特許請求の範囲】
【請求項１】
長手方向に沿った側部にて隆起している複数個の両側側面によって切削刃を形成している切削工具であって、回転中心軸の周囲にクーラント通過用パイプを延設したうえで、当該延設に係るクーラント通過用パイプから分岐した各クーラント通過用パイプを、前記隆起している両側側面のうち、回転方向側の隆起側面の方向に沿って突設している切削工具。
【請求項２】
分岐したクーラント通過用パイプの突設位置が回転方向側の側面のうち隆起している端所及びその内側近傍であることを特徴とする請求項１記載の切削工具。
【請求項３】
回転方向側の隆起側面と、当該側面に隣接する切削刃における回転方向と反対側の隆起側面とが内側に窪んだ湾曲面によって接続されていることを特徴とする請求項２記載の切削工具。
【請求項４】
分岐したクーラント通過用パイプの突設位置が回転方向側の隆起側面における中途部位であることを特徴とする請求項１記載の切削工具。
【請求項５】
分岐したクーラント通過用パイプを突設した位置から切削刃の先端に到る隆起側面が内側に窪んだ湾曲形状を呈することを特徴とする請求項４記載の切削工具。
【請求項６】
分岐したクーラント通過用パイプの先端における噴出口が長手方向に沿った細長形状であることを特徴とする請求項１、２、３、４、５の何れか一項に記載の切削工具。
【請求項７】
回転方向側の隆起側面において、隆起している端所から先端に到る方向に沿って、当該方向と直交する方向の両端に回転方向側に向かう突出部を設けていることを特徴とする請求項１、２、３、４、５、６の何れか一項に記載の切削工具。
【請求項８】
分岐したクーラント通過用パイプが、前記隆起している両側側面の先端の内側近傍領域を迂回した形状を呈したうえで前記突設位置に到達していることを特徴とする請求項１、２、３、４、５、６、７の何れか一項に記載の切削工具。
【請求項９】
前記延設に係るクーラント通過用パイプから分岐しているクーラント通過用パイプと、各噴射口に到るクーラント通過用パイプとの間に、回転方向側の隆起側面の端所の内側近傍にて回転方向に沿った円輪形状のクーラント通過用パイプが介在していることを特徴とする請求項１、２、３、４、５、６、７、８の何れか一項に記載の切削工具。
【発明の詳細な説明】
【技術分野】
【０００１】
本発明は、長手方向に沿った側部にて隆起している複数個の両側側面によって切削刃を形成している切削工具において、前記複数個の切削刃を、クーラント通過用パイプから噴出したクーラントによる冷却を実現する構成を対象としている。
【背景技術】
【０００２】
クーラントの使用による切削工具については、色々な構成が提唱されている。
【０００３】
但し、切削刃にクーラントを直接供給することによって効率的に切削刃を冷却する構成を開示した先行技術は極めて少なく、例外的であるといっても過言ではない。
【０００４】
特に、長手方向の側部にて隆起している複数個の両側側面によって形成されている切削刃を形成している切削工具の場合には、クーラントを直接複数個の各切削刃に供給するような構成は特に提唱されていない。
【０００５】
前記切削工具とは別に、長手方向の先端及びその近傍における切削刃に対するクーラントを供給する先行技術として、例えば、特許文献１においては、切削工具３０の先端における切断端部の刃３６の後面から長手方向に延設されたクーラント通過用パイプ（中央導管１２）によって、クーラントを当該刃３６に供給している（要約書及び一体を成す図面）。
【０００６】
このような特許文献１の構成を、前記切削工具に適用した場合には、長手方向の側部にて隆起することによって形成されている複数個の各切削刃の先端に到るまでクーラント通過用パイプを延設し、かつクーラントを供給することに相成る。
【０００７】
しかしながら、このような構成の場合には、切削刃の先端に対する切削機能を発揮する領域を削減することに帰する。
【０００８】
これに対し、特許文献２は、湾曲した切削刃を備えたドリルにおいて、切屑の排出溝面１６に臨む逃げ面１５につき、噴出穴１８から噴出されるクーラントが先端における切削刃１２に向けて噴出される角度となるまでに、研削した傾斜面を設定することによって、クーラントが先端における切削刃１２と被削材との接触部位に直接供給される構成を採用している（要約書及び図４）。
【０００９】
このような構成を、前記切削工具における切削刃の冷却に適用した場合には、側部にて隆起している両側側面によって形成された複数個の各切削刃の先端と被切削材との接触部位にクーラントを供給することに相成る。
【００１０】
しかしながら、切削刃において切削を原因とする摩擦熱は、単に先端だけでなく長手方向の側部にて隆起している切削刃の全領域に伝達しており、上記構成の場合には、このような全領域における冷却を実現することが不可能であって、必ずしも切削刃に対する効率的な冷却が実現することにはならない。
【００１１】
このように、前記切削工具については、切削刃の広範な領域における冷却を実現するような構成は、提唱されていない。
【先行技術文献】
【特許文献】
【００１２】
【特許文献１】特表２００５−５０２４８４号公報
【特許文献２】特開２０１６−１４４８６５号公報
【発明の概要】
【発明が解決しようとする課題】
【００１３】
本発明は、長手方向に沿った側部にて隆起している複数個の両側側面によって切削刃を形成している切削工具において、切削刃の先端だけでなく、回転方向側に面している領域にクーラントを供給することによって、効率的な切削刃の冷却及び切削刃からの切削粉の排除を実現し得る構成を提供することを課題としている。
【課題を解決するための手段】
【００１４】
前記課題を解決するため、本発明の基本構成は、長手方向に沿った側部にて隆起している複数個の両側側面によって切削刃を形成している切削工具であって、回転中心軸の周囲にクーラント通過用パイプを延設したうえで、当該延設に係るクーラント通過用パイプから分岐した各クーラント通過用パイプを、前記隆起している両側側面のうち、回転方向側の隆起側面の方向に沿って突設している切削工具からなる。
【発明の効果】
【００１５】
前記基本構成に立脚している本発明においては、分岐している複数個の各クーラント通過用パイプの突設方向が、回転方向側の隆起側面に沿っていることから、当該クーラント通過用パイプの先端である噴出穴から噴出したクーラントは、前記隆起側面に沿って流動することによって、切削刃を形成している広範な領域において効率的な冷却を実現することができる。
【００１６】
しかも、噴出穴から流出したクーラントは、切削刃の先端及び被切削材との接触部位にまで流動することから、効率的に切削粉を切削刃から排除することができる。
【００１７】
尚、噴出穴から噴出したクーラントにおいては、噴出の当初は、噴出方向及び回転方向の流動成分を有するも、突設方向の流動速度の方が、噴出穴における回転速度よりも明らかに大きいことから、回転方向の流動成分は空気抵抗によって消滅し、当該消滅の後には、クーラントは、前記隆起側面において回転方向に沿った圧力を受けることによって、前記側面にて流動範囲が拡張するような流動状況を呈しており、前記各効果を確実に実現することができる。
【図面の簡単な説明】
【００１８】
【図１】実施例１の構成を示す切削工具の長手方向と直交する方向の断面図を示す。
【図２】実施例２の構成を示す切削工具の長手方向と直交する方向の断面図を示す。
【図３】分岐したクーラント通過用パイプの突設位置が、回転方向側の側面のうち隆起している端所及びその近傍の位置である第１の実施形態を示しており、（ａ）は、先端側における正面図であり（尚、クーラント通過用パイプのうち、切削刃内に存在する領域については点線によって示し、突設した領域については実線によって示し、切削刃の回転方向については白線の矢印によって示す。）、（ｂ）は、２個の切削刃に着目した場合のクーラントの流動状態を示す長手方向と直交する方向の断面図であり（尚、クーラントの流動方向については点線の矢印によって示し、切削刃の回転方向については白線の矢印によって示す。）、（ｃ）は、切削工具の長手方向に沿った側断面図である。
【図４】分岐したクーラント通過用パイプの突設位置が、回転方向側の側面における中途部位である第２の実施形態を示しており、（ａ）は、先端側における正面図であり（尚、クーラント通過用パイプのうち、切削刃内に存在する領域については点線によって示し、突設した領域については実線によって示し、切削刃の回転方向については白線の矢印によって示す。）、（ｂ）は、２個の切削刃に着目した場合のクーラントの流動状態を示す長手方向と直交する方向の断面図であり（尚、クーラントの流動方向については点線の矢印によって示し、切削刃の回転方向については白線の矢印によって示す。）、（ｃ）は、切削工具の長手方向に沿った側断面図である。
【発明を実施するための形態】
【００１９】
図３（ａ）、（ｂ）、（ｃ）及び図４（ａ）、（ｂ）、（ｃ）に示すように、長手方向に沿った側部にて隆起している複数個の両側側面２１、２２によって切削刃２を形成している切削工具１に立脚している前記基本構成においては、回転中心の周囲に延設されたクーラント通過用パイプ３０から分岐した複数の各クーラント通過用パイプ３１を、前記両側側面２１、２２のうち、回転方向側の隆起側面２１に沿って突設していることを特徴としている。
【００２０】
第１の実施形態は、図３（ａ）、（ｂ）、（ｃ）に示すように、分岐したクーラント通過用パイプ３１の突設位置が回転方向側の側面２１のうち隆起している端所及びその内側近傍であることを特徴としている。
【００２１】
第１の実施形態においては、クーラントが突設されたクーラント通過用パイプ３１の先端に位置している噴出穴４から噴出された後に、隆起している端所の近傍から切削刃の先端２０に到るまで流動しており、前記のように、クーラントの流動領域が回転方向に沿った圧力を受けることによって拡張され、ひいては広範な隆起側面２１を冷却することができる。
【００２２】
特に、図３（ａ）、（ｂ）に示すように、回転方向側の隆起側面２１と、隣接する切削刃２における回転方向と反対側の隆起側面２２とが内側に窪んだ湾曲面によって接続されている場合には、噴出したクーラントは、前記端所から回転方向側の隆起側面２１を円滑に流動することによって、前記のような効率的な冷却を確実に実現することができる。
【００２３】
第２の実施形態は、図４（ａ）、（ｂ）、（ｃ）に示すように、分岐したクーラント通過用パイプ３１の突設位置が、回転方向側の隆起側面２１における中途部位であることを特徴としている。
【００２４】
第２の実施形態においては、回転方向側の隆起側面２１の一部領域に沿って、クーラントが切削刃の先端２０に到るまで流動しており、殆ど全領域を流動している訳ではない点において、第１の実施形態に比し、冷却効率においてやや劣る可能性がある。
【００２５】
但し、図４（ａ）に示すように、回転方向側の隆起側面２１を平坦形状とするのではなく、図４（ｂ）に示すように、分岐したクーラント通過用パイプ３１を突設した位置から切削刃の先端２０に到る隆起側面２１が内側に窪んだ湾曲形状を呈する形態を採用した場合には、前記流動領域幅の狭いことを相当程度補填することができる。
【００２６】
しかも、第２の実施形態の場合には、図４（ａ）、（ｂ）に示すように、クーラント通過用パイプ３１を回転方向側の隆起側面２１に突出させるというシンプルな設計を採用することができる。
【００２７】
前記基本構成に係る切削刃２は、大抵の場合、図３（ａ）、（ｃ）及び図４（ａ）、（ｃ）に示すように、切削刃２を長手方向の先端及びその近傍に設置する場合が多いが、設置位置は必ずしもそのような位置に限定される訳ではなく、長手方向の中途部位に設置することもできる。
【００２８】
クーラントが噴出穴４から噴出した後に、回転方向側の隆起側面２１の広範な領域を流動するためには、図３（ｃ）及び図４（ｃ）に示すように、分岐したクーラント通過用パイプ３１は、分岐した全領域、又は先端の噴出穴４に到る中途部位の領域において、長手方向に沿って所定の幅を有するような設計、即ち噴出穴４が長手方向に沿って細長形状とすることが好ましい。
【００２９】
効果の項において説明したように、回転方向側の隆起側面２１においては、クーラントが回転方向に沿った圧力を受けることによって、前記側面２１にて流動範囲が拡張するような流動状況を呈している。
【００３０】
このような流動範囲の拡張によって、前記側面２１の幅方向、即ち前記側面２１の端所から先端に到る方向と直交する方向を超えて流動範囲が拡張した場合には、クーラントが前記側面２１から漏洩するという危険性が皆無ではない。
【００３１】
しかしながら、そのような危険については、前記側面２１にて、端所から先端に到る方向に沿って、当該方向と直交する方向の両端に回転方向に向かう突出部を設けることによって回避することができる。
【００３２】
以下、実施例にしたがって説明する。
【実施例１】
【００３３】
実施例１は、図１に示すように、長手方向に沿って延設されているクーラント通過用パイプ３０を採用したうえで、図１に示すように、分岐したクーラント通過用パイプ３１が、前記隆起している両側側面２１、２２の先端の内側近傍領域を迂回した形状を呈したうえで前記突設位置に到達していることを特徴としている（尚、図１は、第１の実施形態に立脚した切削刃２の形態を示す。）。
【００３４】
実施例１においては、このような切削刃の先端２０の内側近傍領域における迂回構成によって、切削刃２の冷却を更に助長することができる。
【実施例２】
【００３５】
実施例２は、長手方向に延設しているクーラント通過用パイプ３０を採用したうえで、図２に示すように、前記延設に係るクーラント通過用パイプ３０から分岐しているクーラント通過用パイプ３１と、各噴射口に到るクーラント通過用パイプ３１との間に、回転方向側の隆起側面２１の端所の内側近傍にて回転方向に沿った円輪形状のクーラント通過用パイプ３２が介在していることを特徴としている（尚、図２は、第２の実施形態に立脚した切削刃２の形態を示す。）。
【００３６】
実施例２のように、回転方向に沿った円輪、即ち回転中心軸５を中心とする円輪に沿ったクーラント通過用パイプ３２の介在によって、各切削刃２における回転方向側の隆起側面２１と回転方向と反対側の隆起側面２２とが接続する場合には、双方の端所の冷却を実現しており、前記各実施形態における効率的な冷却が更に一層助長されることに帰する。
【産業上の利用可能性】
【００３７】
このように、本発明による切削工具の冷却方法においては、発熱の発生原因である切削刃の先端だけでなく、回転方向側における隆起側面の効率的な冷却を実現する一方、回転方向側の隆起側面にて発生している切削工具を確実に除去することができ、利用価値は絶大である。
【符号の説明】
【００３８】
１    切削工具
２    切削刃
２０  切削刃の先端
２１  回転方向側の隆起側面
２２  回転方向と反対側の隆起側面
３０  回転中心軸の周囲に沿って延設されたクーラント通過用パイプ
３１  放射状に分岐しているクーラント通過用パイプ
３２  円輪状のクーラント通過用パイプ
４    噴出穴
５    回転中心軸
【図１】
2019126865.tif 000003
【図２】
2019126865.tif 000004
【図３】
2019126865.tif 000005
【図４】
2019126865.tif 000006
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
長手方向に沿った側部にて回転中心軸の周囲における回転方向に沿って規則的に隆起している複数個の両側側面によって切削刃を形成している切削工具であって、回転中心軸の周囲にクーラント通過用パイプを延設したうえで、当該延設に係るクーラント通過用パイプから分岐した各クーラント通過用パイプを、前記隆起している両側側面のうち、回転方向側の隆起側面の方向に沿って突設すると共に、回転方向側の隆起側面のうち、回転中心軸からの距離が最も小さい位置であって、かつ当該隆起が開始している端部の位置に該当する端所から先端に到る全領域において、前記隆起側面の幅方向に直交する方向の両端に沿って回転方向側に向かう突出部を設けている切削工具。
【請求項２】
分岐したクーラント通過用パイプの突設位置が回転方向側の隆起側面における前記端所及びその近傍であることを特徴とする請求項１記載の切削工具。
【請求項３】
分岐したクーラント通過用パイプの突設位置が回転方向側の隆起側面における中途部位であることを特徴とする請求項１記載の切削工具。
【請求項４】
分岐したクーラント通過用パイプを突設した位置から切削刃の先端に到る隆起側面が回転方向と反対側の方向に窪んだ湾曲形状を呈することを特徴とする請求項３記載の切削工具。
【請求項５】
分岐したクーラント通過用パイプの先端における噴出口が長手方向に沿った細長形状であることを特徴とする請求項１、２、３、４の何れか一項に記載の切削工具。
【請求項６】
分岐したクーラント通過用パイプが、前記隆起している両側側面の先端の回転中心軸側の近傍領域にて、順次方向を変化することによって形成されている迂回した形状を呈したうえで前記突設位置に到達していることを特徴とする請求項１、２、３、４、５の何れか一項に記載の切削工具。
【請求項７】
前記延設に係るクーラント通過用パイプから分岐しているクーラント通過用パイプと、各噴射口に到るクーラント通過用パイプとの間に、前記端所と回転中心軸との間に位置し、かつ回転中心軸よりも前記端所の位置に近い位置にて回転方向に沿った円輪形状のクーラント通過用パイプが介在していることを特徴とする請求項１、２、３、４、５、６の何れか一項に記載の切削工具。
【手続補正２】
【補正対象書類名】明細書
【補正対象項目名】全文
【補正方法】変更
【補正の内容】
【発明の詳細な説明】
【技術分野】
【０００１】
本発明は、長手方向に沿った側部にて隆起している複数個の両側側面によって切削刃を形成している切削工具において、前記複数個の切削刃を、クーラント通過用パイプから噴出したクーラントによる冷却を実現する構成を対象としている。
【背景技術】
【０００２】
クーラントの使用による切削工具については、色々な構成が提唱されている。
【０００３】
但し、切削刃にクーラントを直接供給することによって効率的に切削刃を冷却する構成を開示した先行技術は極めて少なく、例外的であるといっても過言ではない。
【０００４】
特に、長手方向の側部にて隆起している複数個の両側側面によって形成されている切削刃を形成している切削工具の場合には、クーラントを直接複数個の各切削刃に供給するような構成は特に提唱されていない。
【０００５】
前記切削工具とは別に、長手方向の先端及びその近傍における切削刃に対するクーラントを供給する先行技術として、例えば、特許文献１においては、切削工具３０の先端における切断端部の刃３６の後面から長手方向に延設されたクーラント通過用パイプ（中央導管１２）によって、クーラントを当該刃３６に供給している（要約書及び一体を成す図面）。
【０００６】
このような特許文献１の構成を、前記切削工具に適用した場合には、長手方向の側部にて隆起することによって形成されている複数個の各切削刃の先端に到るまでクーラント通過用パイプを延設し、かつクーラントを供給することに相成る。
【０００７】
しかしながら、このような構成の場合には、切削刃の先端に対する切削機能を発揮する領域を削減することに帰する。
【０００８】
これに対し、特許文献２は、湾曲した切削刃を備えたドリルにおいて、切屑の排出溝面１６に臨む逃げ面１５につき、噴出穴１８から噴出されるクーラントが先端における切削刃１２に向けて噴出される角度となるまでに、研削した傾斜面を設定することによって、クーラントが先端における切削刃１２と被削材との接触部位に直接供給される構成を採用している（要約書及び図４）。
【０００９】
このような構成を、前記切削工具における切削刃の冷却に適用した場合には、側部にて隆起している両側側面によって形成された複数個の各切削刃の先端と被切削材との接触部位にクーラントを供給することに相成る。
【００１０】
しかしながら、切削刃において切削を原因とする摩擦熱は、単に先端だけでなく長手方向の側部にて隆起している切削刃の全領域に伝達しており、上記構成の場合には、このような全領域における冷却を実現することが不可能であって、必ずしも切削刃に対する効率的な冷却が実現することにはならない。
【００１１】
このように、前記切削工具については、切削刃の広範な領域における冷却を実現するような構成は、提唱されていない。
【先行技術文献】
【特許文献】
【００１２】
【特許文献１】特表２００５−５０２４８４号公報
【特許文献２】特開２０１６−１４４８６５号公報
【発明の概要】
【発明が解決しようとする課題】
【００１３】
本発明は、長手方向に沿った側部にて隆起している複数個の両側側面によって切削刃を形成している切削工具において、切削刃の先端だけでなく、回転方向側に面している領域にクーラントを供給することによって、効率的な切削刃の冷却及び切削刃からの切削粉の排除を実現し得る構成を提供することを課題としている。
【課題を解決するための手段】
【００１４】
前記課題を解決するため、本発明の基本構成は、長手方向に沿った側部にて回転中心軸の周囲における回転方向に沿って規則的に隆起している複数個の両側側面によって切削刃を形成している切削工具であって、回転中心軸の周囲にクーラント通過用パイプを延設したうえで、当該延設に係るクーラント通過用パイプから分岐した各クーラント通過用パイプを、前記隆起している両側側面のうち、回転方向側の隆起側面の方向に沿って突設すると共に、回転方向側の隆起側面のうち、回転中心軸からの距離が最も小さい位置であって、かつ当該隆起が開始している端部の位置に該当する端所から先端に到る全領域において、前記隆起側面の幅方向に直交する方向の両端に沿って回転方向側に向かう突出部を設けている切削工具からなる。
【発明の効果】
【００１５】
前記基本構成に立脚している本発明においては、分岐している複数個の各クーラント通過用パイプの突設方向が、回転方向側の隆起側面に沿っていることから、当該クーラント通過用パイプの先端である噴出穴から噴出したクーラントは、前記隆起側面に沿って流動することによって、切削刃を形成している広範な領域において効率的な冷却を実現することができる。
【００１６】
しかも、噴出穴から流出したクーラントは、切削刃の先端及び被切削材との接触部位にまで流動することから、効率的に切削粉を切削刃から排除することができる。
【００１７】
更には、噴出穴から噴出したクーラントにおいては、噴出の当初は、噴出方向及び回転方向の流動成分を有するも、突設方向の流動速度の方が、噴出穴における回転速度よりも明らかに大きいことから、回転方向の流動成分は空気抵抗によって消滅し、当該消滅の後には、クーラントは、前記隆起側面において回転方向に沿った圧力を受けることによって、前記隆起側面にて流動範囲が拡張するような流動状況を呈しており、前記各効果を確実に実現することができる。
【図面の簡単な説明】
【００１８】
【図１】実施例１の構成を示す切削工具の長手方向と直交する方向の断面図を示す。
【図２】実施例２の構成を示す切削工具の長手方向と直交する方向の断面図を示す。
【図３】分岐したクーラント通過用パイプの突設位置が、回転方向側の側面のうち隆起している端所及びその近傍の位置である第１の実施形態を示しており、（ａ）は、先端側における正面図であり（尚、クーラント通過用パイプのうち、切削刃内に存在する領域については点線によって示し、突設した領域については実線によって示し、切削刃の回転方向については白線の矢印によって示す。）、（ｂ）は、２個の切削刃に着目した場合のクーラントの流動状態を示す長手方向と直交する方向の断面図であり（尚、クーラントの流動方向については点線の矢印によって示し、切削刃の回転方向については白線の矢印によって示す。）、（ｃ）は、切削工具の長手方向に沿った側断面図である。
【図４】分岐したクーラント通過用パイプの突設位置が、回転方向側の側面における中途部位である第２の実施形態を示しており、（ａ）は、先端側における正面図であり（尚、クーラント通過用パイプのうち、切削刃内に存在する領域については点線によって示し、突設した領域については実線によって示し、切削刃の回転方向については白線の矢印によって示す。）、（ｂ）は、２個の切削刃に着目した場合のクーラントの流動状態を示す長手方向と直交する方向の断面図であり（尚、クーラントの流動方向については点線の矢印によって示し、切削刃の回転方向については白線の矢印によって示す。）、（ｃ）は、切削工具の長手方向に沿った側断面図である。
【発明を実施するための形態】
【００１９】
図３（ａ）、（ｂ）、（ｃ）及び図４（ａ）、（ｂ）、（ｃ）に示すように、長手方向に沿った側部にて回転中心軸の周囲における回転方向に沿って規則的に隆起している複数個の両側側面２１、２２によって切削刃２を形成している切削工具１に立脚している前記基本構成においては、回転中心の周囲に延設されたクーラント通過用パイプ３０から分岐した複数の各クーラント通過用パイプ３１を、前記両側側面２１、２２のうち、回転方向側の隆起側面２１に沿って突設していることを特徴としている。
【００２０】
第１の実施形態は、図３（ａ）、（ｂ）、（ｃ）に示すように、分岐したクーラント通過用パイプ３１の突設位置が回転方向側の隆起側面２１において前記基本構成における端所及びその近傍であることを特徴としている。
【００２１】
第１の実施形態においては、クーラントが突設されたクーラント通過用パイプ３１の先端に位置している噴出穴４から噴出された後に、隆起している端所の近傍から切削刃の先端２０に到るまで流動しており、前記のように、クーラントの流動領域が回転方向に沿った圧力を受けることによって拡張され、ひいては広範な隆起側面２１を冷却することができる。
【００２２】
第２の実施形態は、図４（ａ）、（ｂ）、（ｃ）に示すように、分岐したクーラント通過用パイプ３１の突設位置が、回転方向側の隆起側面２１における中途部位であることを特徴としている。
【００２３】
第２の実施形態においては、回転方向側の隆起側面２１の一部領域に沿って、クーラントが切削刃の先端２０に到るまで流動しており、殆ど全領域を流動している訳ではない点において、第１の実施形態に比し、冷却効率においてやや劣る可能性がある。
【００２４】
但し、図４（ａ）に示すように、回転方向側の隆起側面２１を平坦形状とするのではなく、図４（ｂ）に示すように、分岐したクーラント通過用パイプ３１を突設した位置から切削刃の先端２０に到る隆起側面２１が回転方向と反対側の方向に窪んだ湾曲形状を呈する形態を採用した場合には、前記流動領域幅の狭いことを相当程度補填することができる。
【００２５】
しかも、第２の実施形態の場合には、図４（ａ）、（ｂ）に示すように、クーラント通過用パイプ３１を回転方向側の隆起側面２１に突出させるというシンプルな設計を採用することができる。
【００２６】
前記基本構成に係る切削刃２は、大抵の場合、図３（ａ）、（ｃ）及び図４（ａ）、（ｃ）に示すように、切削刃２を長手方向の先端及びその近傍に設置する場合が多いが、設置位置は必ずしもそのような位置に限定される訳ではなく、長手方向の中途部位に設置することもできる。
【００２７】
クーラントが噴出穴４から噴出した後に、回転方向側の隆起側面２１の広範な領域を流動するためには、図３（ｃ）及び図４（ｃ）に示すように、分岐したクーラント通過用パイプ３１は、分岐した全領域、又は先端の噴出穴４に到る中途部位の領域において、長手方向に沿って所定の幅を有するような設計、即ち噴出穴４が長手方向に沿って細長形状とすることが好ましい。
【００２８】
効果の項において説明したように、回転方向側の隆起側面２１においては、クーラントが回転方向に沿った圧力を受けることによって、前記隆起側面２１にて流動範囲が拡張するような流動状況を呈している。
【００２９】
このような流動範囲の拡張によって、前記隆起側面２１の幅方向、即ち前記隆起側面２１の端所から先端に到る方向と直交する方向を超えて流動範囲が拡張した場合には、クーラントが前記隆起側面２１から漏洩するという危険性が皆無ではない。
【００３０】
しかしながら、そのような危険については、前記隆起側面２１のうち、回転中心軸５からの距離が最も小さい位置であって、かつ隆起が開始している端部の位置に該当する端所から先端に到る全領域において、前記隆起側面２１の幅方向に直交する方向の両端に沿って回転方向側に向かう突出部を設けることによって回避することができる。
【００３１】
以下、実施例にしたがって説明する。
【実施例１】
【００３２】
実施例１は、図１に示すように、長手方向に沿って延設されているクーラント通過用パイプ３０を採用したうえで、図１に示すように、分岐したクーラント通過用パイプ３１が、前記隆起している両側側面２１、２２の先端２０の回転中心軸５側の近傍領域にて、順次方向を変化することによって形成されている迂回した形状を呈したうえで前記突設位置に到達していることを特徴としている（尚、図１は、第１の実施形態に立脚した切削刃２の形態を示す。）。
【００３３】
実施例１においては、このような切削刃の先端２０に対する前記領域における迂回構成によって、切削刃２の冷却を更に助長することができる。
【実施例２】
【００３４】
実施例２は、長手方向に延設しているクーラント通過用パイプ３０を採用したうえで、図２に示すように、前記延設に係るクーラント通過用パイプ３０から分岐しているクーラント通過用パイプ３１と、各噴射口に到るクーラント通過用パイプ３１との間に、前記端所と回転中心軸５との間に位置し、かつ回転中心軸５よりも前記端所の位置に近い位置にて回転方向に沿った円輪形状のクーラント通過用パイプ３２が介在していることを特徴としている（尚、図２は、第２の実施形態に立脚した切削刃２の形態を示す。）。
【００３５】
実施例２のように、回転方向に沿った円輪、即ち回転中心軸５を中心とする円輪に沿ったクーラント通過用パイプ３２の介在によって、各切削刃２における回転方向側の隆起側面２１と回転方向と反対側の隆起側面２２とが接続する場合には、双方の端所の冷却を実現しており、前記各実施形態における効率的な冷却が更に一層助長されることに帰する。
【産業上の利用可能性】
【００３６】
このように、本発明による切削工具の冷却方法においては、発熱の発生原因である切削刃の先端だけでなく、回転方向側における隆起側面の効率的な冷却を実現する一方、回転方向側の隆起側面にて発生している切削工具を確実に除去することができ、利用価値は絶大である。
【符号の説明】
【００３７】
１    切削工具
２    切削刃
２０  切削刃の先端
２１  回転方向側の隆起側面
２２  回転方向と反対側の隆起側面
３０  回転中心軸の周囲に沿って延設されたクーラント通過用パイプ
３１  放射状に分岐しているクーラント通過用パイプ
３２  円輪状のクーラント通過用パイプ
４    噴出穴
５    回転中心軸